(57)【要約】【課題】使い捨てのパンツ型おむつのライナに形成された便を通過させることが可能な通路に対して、その幅が狭くなることを防ぐ手段を設ける。【解決手段】使い捨てのパンツ型おむつ１のライナに便を通過させることが可能な通路が形成される。おむつ１の前後胴周り域１２，１４には、胴周り弾性部材２０と胴周り補助弾性部３６とがおむつ１の幅方向Ｑへ伸縮可能な状態で配置される。胴周り補助弾性部材３６は、吸収体１６の存在するシャーシの幅方向Ｑの中央領域１ａには配置されず、シャーシの両側域１ｂに配置される。【選択図】図１
2008006312.tif 000002
【特許請求の範囲】
【請求項１】
前後方向、幅方向、前胴周り域、後胴周り域およびそれら胴周り域間に介在する股下域を備える可撓性シャーシと、このシャーシの内面に配置された半剛性吸収体とを含む使い捨てのパンツ型おむつにおいて、
前記シャーシが、最外層および最内層を有するとともに、前記最外層を構成するバックシートと、前記最内層を構成するライナとを含み、
前記ライナが、前記幅方向における前記股下域のほぼ中央域で該方向へ延びる固定部で前記吸収体に固定されており、前記固定部より前記後胴周り域寄りに形成された便を通過させることが可能な通路と、前記通路の前記幅方向の両側に配置されて前記通路の近傍で前記前後方向に伸縮可能な一対の側方弾性部材とを備えており、
前記側方弾性部材が収縮した状態にあるとき、前記ライナが、前記固定部より前記後胴周り域寄りにおいて前記吸収体から離れるように持ち上げられるとともに、前記固定部に沿って立ち上がる障壁を形成し、
前記前後胴周り域には胴周り弾性部材と胴周り補助弾性部材とが前記幅方向へ伸縮可能な状態で配置されていて、前記胴周り弾性部材が胴周り開口の全周にわたって配置され、前記胴周り補助弾性部材が、前記吸収体の存在する前記シャーシの前記幅方向の中央領域において弾性伸縮性を発現することがないように、前記中央領域には配置されず前記シャーシの両側域に配置されていることを特徴とする前記パンツ型おむつ。
【請求項２】
前記前後方向に伸縮可能な前記側方弾性部材が、前端と後端とを有し、前記前端が少なくとも前記通路の最前縁まで伸縮可能な状態で前記前後方向前方へ延びていて、前記後端が前記通路の前記前後方向の中心よりも後方に位置している請求項１記載のおむつ。
【請求項３】
前記側方弾性部材が、前記通路の側に凸となるように伸縮可能な状態で前記前後方向に延びている請求項１または２記載のおむつ。
【請求項４】
前記ライナが、前記シャーシのほぼ前半域に位置する第１ライナと、前記シャーシのほぼ後半域に位置する第２ライナとから構成されている請求項１〜３のいずれかに記載のおむつ。
【請求項５】
前記第２ライナが液抵抗性を有する請求項４記載のおむつ。
【請求項６】
前記前後方向に延びる一対のバリヤカフが前記シャーシの両側縁部に配置されている請求項１〜５のいずれかに記載のおむつ。
【発明の詳細な説明】
【技術分野】
【０００１】
この発明は、使い捨てのパンツ型おむつに関し、さらに詳しくは、排泄物が着用者の身体に付着することを防止する使い捨てのパンツ型おむつに関する。
【背景技術】
【０００２】
従来、使い捨ておむつの吸収性パット構造体を覆う表シートの股区域において、前部に向かって片寄った位置に開口を設け、さらに、前後方向に延びる弾性バンドを取り付けた使い捨ておむつは公知である（特許文献１）。また、使い捨ておむつにおけるライナの前後方向の後部に向かって片寄った位置に開口を設け、そのライナを前後方向に収縮させる手段であってその手段が前記開口に隣接しないようにライナの前部と後部とに配置されている使い捨ておむつも公知である（特許文献２）。これら使い捨ておむつは、表シートあるいはライナが、その下に横たわる吸収性パッドから離れるように持ち上げられて着用者の肌に密着すると、排泄物を開口を通して吸収性パッドと表シートあるいはライナとの間に導き入れることができる。
【特許文献１】特許第２５７２７４４号公報
【特許文献２】特許第２８８０１９１号公報
【発明の開示】
【発明が解決しようとする課題】
【０００３】
特許文献１に開示された使い捨ておむつは、一つの開口が、前後方向の広い範囲にわたって形成されているために、排便時に、着用者の肛門周辺だけでなく外性器までもが便で汚れてしまうという問題がある。また、特許文献２に開示された使い捨ておむつは、ライナの全面が持ち上げられ、開口が設けられていない前部においてもライナが着用者の外性器に直接密着する。その結果、装着感が悪くなったり、外性器付近で肌がかぶれたり、一度に多量の尿が排出されたときには、使い捨ておむつが尿を収容しきれずに漏れが生じたりするという問題がある。
【０００４】
この発明は、上述のような問題に鑑みてなされたものであり、尿収容力を低下させることなく、また、装着感を悪くすることなく、便で着用者の外性器が汚れることを防止することができる使い捨てのパンツ型おむつの提供を目的とする。
【課題を解決するための手段】
【０００５】
上記課題を解決するためのこの発明が対象とするのは、前後方向，幅方向，前胴周り域，後胴周り域およびそれら胴周り域間に介在する股下域を備える可撓性シャーシと、このシャーシの内面に配置された半剛性吸収体とを含む使い捨てのパンツ型おむつである。
【０００６】
かかるパンツ型おむつにおいて、この発明が特徴とするところは次のとおりである。前記シャーシは、最外層および最内層を有するとともに、前記最外層を構成するバックシートと、前記最内層を構成するライナとを含む。前記ライナは、前記幅方向における前記股下域のほぼ中央域で該方向へ延びる固定部で前記吸収体に固定されており、前記固定部より前記後胴周り域寄りに形成された便を通過させることが可能な通路と、前記通路の前記幅方向の両側に配置されて前記通路の近傍で前記前後方向に伸縮可能な一対の側方弾性部材とを備えている。前記側方弾性部材が収縮した状態にあるときには、前記ライナが、前記固定部より前記後胴周り域寄りにおいて前記吸収体から離れるように持ち上げられるとともに、前記固定部に沿って立ち上がる障壁を形成する。前記前後胴周り域には、胴周り弾性部材と胴周り補助弾性部材とが前記幅方向へ伸縮可能な状態で配置されていて、前記胴周り弾性部材が胴周り開口の全周にわたって配置され、前記胴周り補助弾性部材が、前記吸収体の存在する前記シャーシの前記幅方向の中央領域において弾性伸縮性を発現することがないように、前記中央領域には配置されず前記シャーシの両側域に配置されている。
【発明の効果】
【０００７】
このようなパンツ型おむつでは、側方弾性部材の収縮によってライナが固定部より後胴周り域寄りにおいて吸収体から離れるように持ち上げられることによって、通路が肛門に接近し、通路内に便を導くことができる。また、ライナが固定部に沿って立ち上がる障壁を形成することによって、通路内に導いた便の前方に向かっての流れを堰き止め、その結果、便で着用者の外性器が汚れることを防止することができる。シャーシの胴周り域には胴周り弾性部材と胴周り補助弾性部材とが伸縮可能な状態で配置されていて胴周りにフィットし易く、おむつは着用感の良いものになる。しかもその胴周り補助弾性部材は吸収体の存在するシャーシの中央領域には配置されていないから、胴周り補助弾性部材の収縮によって通路の幅を狭くするということがない。
【０００８】
この発明において、便を通過させることが可能な限りにおいて、通路の形状および大きさは特に限定されない。例えば、通路は、長さ方向あるいは幅方向に設けられたスリットでもよく、ライナの一部が切り取られた開孔でもよい。通路の位置は、ライナが吸収体と離れるように持ち上げられたときに、通路が着用者の肛門の位置と一致し易いように適宜決定すればよいが、シャーシの幅方向におけるほぼ中央で股下域から後胴周り域にかけての範囲にあることが好ましい。
【０００９】
この発明において、側方弾性部材の前端および後端の位置は特に限定されるものではないが、それら弾性部材の後端が、少なくとも通路の長さ方向の中心よりも後方に位置していることが好ましく、通路の最後縁より後方に位置していることがより好ましい。それによって、通路全体を確実に着用者の肛門に接近させることができる。さらに、側方弾性部材の前端は、少なくとも通路の最前縁まで伸縮可能な状態で前方へ延びていることが好ましい。
【００１０】
側方弾性部材はまた、通路の側に凸となるように伸縮可能な状態で前後方向に延びていることが好ましい。側方弾性部材が収縮することによって、幅方向の通路の寸法が小さくなることを防止することができ、より確実に通路内に便を導くことができる。
【００１１】
ライナは、透液性を有していてもよく、液抵抗性を有していてもよいが、着用者の排尿口に面するシャーシのほぼ前半域においては透液性を有することが好ましく、着用者の肛門に面するシャーシのほぼ後半域においては液抵抗性を有することが好ましい。ライナは、シャーシのほぼ前半域に位置する第１ライナと、この第１ライナとは別体であって、シャーシのほぼ後半域に位置する第２ライナとで構成することができる。それによって、前半域と後半域とでシャーシの性質を変化させることができる。
【００１２】
この発明に係るおむつでは、前後方向に延びる一対のバリヤカフをシャーシの両側縁部に配置することができる。
【００１３】
この発明のその他の構成、材料などについては、実施の形態における記述がここに援用される。ただし、この発明は、実施の形態に限定されるものではない。
【発明を実施するための最良の形態】
【００１４】
この発明に係る使い捨てのパンツ型おむつの実施形態について、図面を参照しながら以下に説明する。
【００１５】
図１は、使い捨てのパンツ型おむつ１の斜視図であって、おむつ１の前後方向と、幅方向と、上下方向とが双頭矢印Ｐ，Ｑ，Ｒで示されている。おむつ１は、前胴周り域１２と、後胴周り域１４と、股下域１３とを有し、前後胴周り域１２，１４の側縁部１５ａと１５ｂとが合掌状に重なり合い互いに接合している。おむつ１にはまた、胴周り開口３４と脚周り開口３５とが形成されていて、体液を吸収するための吸収体１６が鎖線で示されている。おむつ１にはさらに、胴周り開口３４の全周に複数の胴周り用弾性部材２０が伸縮可能な状態で配置され、胴周り用弾性部材２０の下方には胴周り用補助弾性部材３６が伸縮可能な状態で配置され、脚周り開口３５の上側半周部分には脚周り用弾性部材２１が伸縮可能な状態で配置されていて、これら弾性部材２０，２１，３６が鎖線で示されている。胴周り補助弾性部材３６は、おむつ着用者の胴周りに対するおむつ１のフィット性を向上させることができるものであるが、吸収体１６が存在しているおむつ１の幅方向中央領域１ａでは弾性伸縮性を発現することがないように、中央領域１ａには配置されておらず吸収体１６が存在していない前後胴周り域１２，１４の両側域１ｂに配置されている。
【００１６】
おむつ１は、後記するように、おむつ１の内側にあっておむつ着用者の肌と向かい合うライナー１７を含み、そのライナー１７には便を吸収体に向かって通過させることのできる通路２６が形成されているものであるが、胴周り用補助弾性部材３６は、それが中央領域１ａに配置されていないことによって、通路２６の幅を縮めることがない。それゆえ、このおむつ１の通路２６は、便を通過させることが容易である。
【００１７】
図２，３は、おむつ１を作るために転用することのできる使い捨てのオープン型おむつ１０の部分破断斜視図と、同図のＩＩＩ−ＩＩＩ線断面図である。
【００１８】
オープン型おむつ１０は、長さ方向および幅方向を有し、中心線Ｃ−Ｃに関して対称であり、図１では長さ方向において湾曲している。オープン型おむつ１０の長さ方向と幅方向とは、図１のおむつ１の前後方向Ｐと幅方向Ｑとに対応している。なお、ＩＩＩ−ＩＩＩ線は中心線Ｃ−Ｃに一致する線である。オープン型おむつ１０は、前胴周り域１２，後胴周り域１４およびそれら胴周り域１２，１４の間に介在する股下域１３を有する可撓性シャーシ１１と、このシャーシ１１の内面側に配置された半剛性吸収体１６とを含む。
【００１９】
シャーシ１１は、長さ方向の中央部分が幅方向の内側へくびれた砂時計形であって、最内層１１ａおよび最外層１１ｂを有するとともに、最内層１１ａを構成するライナ１７と、最外層１１ｂを構成するバックシート１８とを含んでいる。
【００２０】
ライナ１７は、シャーシ１１のほぼ前半域に位置して１枚のシートからなる第１ライナ１７ａとシャーシ１１のほぼ後半域に位置して重なり合う２枚のシートからなる第２ライナ１７ｂとからなる。ライナ１７は、外縁に沿ってバックシート１８と接合している。また、ライナ１７は、幅方向における股下域１３のほぼ中央域で該方向へ延びる固定部１９で吸収体１６に固定されている。なお、第２ライナ１７ｂは、固定部１９において、吸収体１６と直接接合していなくてもよく、第１ライナ１７ａを介して吸収体１６に固定されていてもよい。図３に示されているように、オープン型おむつ１０では、第１ライナ１７ａと第２ライナ１７ｂとが、股下域１３において第２ライナ１７ｂを上にして重なり合い、その重なり合った部分において互いに接合している。第１ライナ１７ａの可撓性は第２ライナ１７ｂよりも低いことが好ましい。
【００２１】
第１ライナ１７ａは、透液性を有し、公知の熱可塑性合成繊維不織布から形成される。第２ライナ１７ｂは液抵抗性と通気性とを有し、公知の熱可塑性合成繊維不織布から形成される。熱可塑性合成繊維としては、例えば、ポリオレフィン系，ポリエステル系，ポリアミド系などの合成樹脂から製造されているものが挙げられる。
【００２２】
バックシート１８は、公知の疎水性熱可塑性合成繊維不織布あるいは公知の液抵抗性熱可塑性プラスチックフィルムから形成されている。フィルムの材料としては、例えばポリオレフィン系プラスチックなどが挙げられるが、炭酸カルシウムや硫酸バリウム等の無機物微細粒子を含有する合成樹脂フィルムを一軸または二軸延伸して得られる透湿性かつ不透液性のプラスチックフィルムがより好ましい。
【００２３】
吸収体１６は、フルッフパルプと、超吸水性ポリマー粒子と、場合によっては、熱可塑性合成繊維との混合圧縮物から形成され、それゆえ可撓性シャーシに比較して半剛性を有する。混合圧縮物は、適宜圧縮されていて、ティシューペーパ，不織布など液拡散性シート（図示せず）で被覆されていることが、その保形性，吸収性において好ましい。吸収体１６は、図１に示されているように矩形であってもよく、シャーシ１１と同様に、前後方向Ｐの中央部分においてくびれた砂時計形であってもよい。図２に示されているように、オープン型おむつ１０では、吸収体１６が全体にわたって同じ厚みを有している。しかし、吸収体１６は、後胴周り域１４に位置する部分において、バックシート１８側に凹んだ肉薄部分を含んでいてもよく、一部分が切り取られていると、多くの便を収容することができてより好ましい。
【００２４】
前後胴周り域１２，１４の前後両端縁１２ａ，１４ａにおいては、シャーシ１１におけるバックシート１８の内面に、胴周り用弾性部材２０，２０が伸縮可能な状態で配置されている。股下域１３の両側縁部１３ａにおいては、シャーシ１１におけるバックシート１８の内面に、脚周り用弾性部材２１，２１が伸縮可能な状態で配置されており、前後方向Ｐに延びる一対のガスケットカフ１１ｃ，１１ｃが形成されている。ガスケットカフ１１ｃの内面にはバリヤカフ２２が配置されている。バリヤカフ２２は、バックシート１８の外側縁まで延びてこれと重なっている。バリヤカフ２２は、幅方向Ｑの外側へ延びてガスケットカフ１１ｃを形成している基部２２ａと先端部２２ｂとを有し、前後方向Ｐにおける両端部２２ｃは先端部２２ｂが幅方向外側へ倒された状態でガスケットカフ１１ｃ，１１ｃに固定されている。バリヤカフ２２には、前後方向Ｐに伸縮可能なカフ用弾性部材２３が取り付けられている。カフ用弾性部材２３が収縮することにより、バリヤカフ２２は、シャーシ１１の内面に対してほぼ垂直に立ち上がり、ガスケットカフ１１ｃとともにシャーシ１１の外に向かって流れる排泄物に対しての障壁となる。バリヤカフ２２は、公知の液抵抗性熱可塑性合成繊維不織布から形成される。熱可塑性合成繊維としては、例えば、ポリオレフィン系，ポリエステル系，ポリアミド系などの合成樹脂から製造されているものが挙げられる。
【００２５】
後胴周り域１４におけるシャーシ１１の両側縁１５ｂ，１５ｂには、前後胴周り域１２，１４を連結する手段である一対のテープファスナ２４，２４が取り付けられている。テープファスナ２４の基部は剥離することがないようにシャーシ１１に接合されている。テープファスナ２４の先端部には粘着剤が塗布されている。シャーシ１１の前胴周り域１２にはテープファスナ２４が係合するターゲットテープ２５が取り付けられている（図３を参照）。
【００２６】
このオープン型おむつ１０は、前後胴周り域１２，１４の側縁部１５ａと側縁部１５ｂとを合掌状に重ねて互いに接合することによってパンツ型のおむつに変えることができる。
【００２７】
そのパンツ型おむつではさらに、図示された帯状の胴周り用弾性部材２０を複数の糸状の弾性部材に代え、吸収体１６の存在していない前後胴周り域１２，１４の両側域１ｂに複数の胴周り用補助弾性部材を配置することによって、図１のパンツ型おむつ１にすることができる。
【００２８】
ライナ１７は、固定部１９より後胴周り域１４寄りに形成された便を通過させることが可能な通路２６と、通路２６の周縁に沿って伸縮可能な状態で配置された第１弾性部材２７と、通路２６の、幅方向Ｑの両側に配置されて通路２６の近傍で前後方向Ｐに伸縮可能な一対の側方弾性部材である第２および第３弾性部材２８，２９とを備えている。第２および第３弾性部材２８，２９が収縮した状態にあるとき、ライナ１７は、固定部１９より後胴周り域１４寄りにおいて吸収体１６から離れるように持ち上げられるとともに、固定部１９に沿って立ち上がる障壁３０を形成する（図３を参照）。立ち上がった障壁３０の頂部３０ａは着用者の会陰に当接する。このようなオープン型おむつ１０は、それを着用すると、ライナ１７に形成された通路２６が着用者の肛門に接近して便を通路２６内に導くことができる。万一、便が肌を伝って前方へ流れたとしても、障壁３０の頂部３０ａが着用者の会陰に当接しているから、そこで便の流れが止められて、着用者の外性器を便で汚すということがない。
【００２９】
弾性部材が伸長していない状態にあるとき、通路２６の、最前縁２６ａから最後縁２６ｂまでの長さ方向における開口寸法Ｍａは、シャーシ１１の長さ方向の寸法Ｌのおよそ８〜４０％（寸法Ｌが４７５ｍｍであるときおよそ３８〜１９０ｍｍ）であることが好ましい。開口寸法Ｍａが寸法Ｌの８％より小さいと、便を通路２６内に導くことが難しくなる。開口寸法Ｍａが寸法Ｌの４０％より大きいと、通路２６と着用者の外性器とが向かい合うことになり、便が着用者の外性器に付着し易くなる。
【００３０】
同様に、弾性部材が伸長していない状態にあるとき、通路２６の、幅方向における通路の開口寸法Ｍｂは、およそ５〜７０ｍｍであることが好ましい。開口寸法Ｍｂが５ｍｍより小さいと、便を通路２６内に導くことが難しくなる。開口寸法Ｍｂが７０ｍｍより大きいと、通路２６内に導いた便が着用者の肌に付着し易くなり、着用者の外性器が便で汚れることを防止するという効果を感じ難くなってしまう。
【００３１】
通路２６の最前縁２６ａからシャーシ１１の前端縁１２ａまでの離間寸法Ｐ１は、寸法Ｌのおよそ３７〜５７％（寸法Ｌが４７５ｍｍであるときおよそ１８０〜２７０ｍｍ）であることが好ましい。離間寸法Ｐ１が寸法Ｌのおよそ３７％より小さいと、通路２６と着用者の外性器とが向かい合い、便が着用者の外性器に付着し易くなる。離間寸法Ｐ１が寸法Ｌのおよそ５７％より大きいと、通路２６と着用者の肛門とは向かい合うことが難しくなり、便を通路２６内に導くことが難しくなる。
【００３２】
通路２６の最後縁２６ｂからシャーシ１１の後端縁１４ａまでの離間寸法Ｐ２は、寸法Ｌのおよそ１３〜３３％（寸法Ｌが４７５ｍｍであるときおよそ６０〜１５０ｍｍ）であることが好ましい。離間寸法Ｐ２が寸法Ｌのおよそ１３％より小さいと、通路２６の最後縁２６ｂが着用者の背面側に寄りすぎて、便が背面側に広がって漏れ易くなってしまう。離間寸法Ｐ２が寸法Ｌのおよそ３３％より大きいと、通路２６と着用者の肛門とは向かい合うことが難しくなり、便を通路２６内に導くことが難しくなる。
【００３３】
オープン型おむつ１０がこのような通路２６を備えていることによって、着用者の外性器が便で汚れることをより確実に防止することができる。
【００３４】
固定部１９で、ライナ１７と吸収体１６とは公知のホットメルト接着剤３１により接合している（図２を参照）。固定部１９は、シャーシ１１の幅方向Ｑほぼ中央に位置し、幅方向Ｑの寸法Ｎが通路２６の幅方向の開口寸法Ｍｂの７５％以上であることが好ましい。寸法Ｎが寸法Ｍｂの７５％より小さいと、障壁３０の幅寸法が小さくなり、障壁３０が障壁として機能し難くなる。ライナ１７が形成する障壁３０の高さ寸法となる固定部１９から通路２６の最前縁２６ａまでの離間寸法Ｐ３は、２０〜６０ｍｍであることが好ましい。離間寸法Ｐ３が２０ｍｍより小さいと、障壁３０が障壁として機能し難くなる。離間寸法Ｐ３が６０ｍｍより大きいと、障壁３０が着用者の肌に接触したときに、着用者が違和感を覚える虞がある。
【００３５】
第１弾性部材２７は、２枚のシートからなる第２ライナ１７ｂに包まれて、通路２６の全周縁に沿って連続して配置されている。
【００３６】
第２および第３弾性部材２８，２９は、通路２６の側方にあって２枚のシートからなる第２ライナ１７ｂに挟まれて、通路２６の、最後縁２６ｂより後方の位置から最前縁２６ａまで伸縮可能な状態で前後方向Ｐにほぼ並行に延びている。第２および第３弾性部材２８，２９は、幅方向Ｑにおいて通路２６の周縁から５〜３０ｍｍ離れて位置していることが好ましく、また、通路２６の前後方向Ｐの中心を通って幅方向Ｑに延びる線と交わるように位置していることが好ましい。第２および第３弾性部材２８，２９が幅方向Ｑにおいて通路２６の周縁から３０ｍｍよりさらに離れて位置していると、第２および第３弾性部材２８，２９の応力が通路２６の周縁に伝わり難く、通路２６の開口状態を維持することが難しくなる。第２および第３弾性部材２８，２９の前後方向Ｐの寸法Ｓは、通路２６の前後方向Ｐにおける開口寸法Ｍａの５０〜１５０％であることが好ましい。寸法Ｓが開口寸法Ｍａの５０％より小さいと、ライナ１７を吸収体から離れるように持ち上げることが難くなる。
【００３７】
第１，第２および３弾性部材２７，２８，２９としては、天然ゴム、合成ゴム、ウレタンフォームなど公知の材料からなる糸ゴムや平ゴムなどを適宜用いることができる。
【００３８】
図示のオープン型おむつ１０は、通路２６の周縁に沿って配置された第１弾性部材２７によって、通路２６の周縁が補強されて通路２６の開口状態が保たれる。また、通路２６の幅方向両側に配置された一対の第２および第３弾性部材２８，２９によって、通路２６を着用者の肛門に接近させることができる。さらに、第２および第３弾性部材２８，２９が少なくとも通路２６の最前縁２６ａまで伸縮可能な状態で前後方向Ｐの前方へ延びていることによって、ライナ１７が吸収体１６から離れるように持ち上げられたときに、最前縁２６ａを含む通路２６の全体が着用者の肛門に接近し、便を確実に通路２６内へ導くことができる。また、便が肌を伝って前方へ流れることがあっても、ライナ１７が形成する障壁３０の頂部３０ａが着用者の会陰に当接していて、そこで便の流れを止めるから、着用者の外性器は便で汚れることがない。またさらに、ライナ１７が股下域１３に位置する固定部１９で吸収体１６と接合していることによって、固定部１９より前胴周り域１２寄りの部分においてはシャーシ１１が着用者の身体に密着しないから、着用者が不快感を覚えることがなく、一度に多量の尿が排出されても漏れを生じることがない。
【００３９】
図４は、この発明に係るパンツ型おむつ１と対比されるパンツ（プルオン）型の使い捨ておむつ１００の斜視図であって、前後方向と、幅方向と、上下方向とが双頭矢印Ｐ，Ｑ，Ｒで示されている。図５は、図４に示された使い捨ておむつ１００の部分破断斜視図である。図６は、シャーシ１１の前後胴周り域１２，１４の両側縁１５ａ，１５ｂを切り離した状態にある使い捨ておむつ１００の部分破断展開平面図であって、図４における前後方向Ｐと幅方向Ｑとが併せて示されている。図７は、図６の７−７線断面図である。
【００４０】
図４に示されているように、使い捨ておむつ１００では、前後胴周り域１２，１４の対向する側縁１５ａと側縁１５ｂとが、合掌状に重なり合い、断続的に接合している（図４を参照）。その使い捨ておむつ１００は、胴周り開口３４と一対の脚周り開口３５，３５とを有している。胴周り開口３４を画成しているシャーシ１１の前後両端縁１２ａ，１４ａには、複数の胴周り用弾性部材２０が、胴周り開口３４の全周にわたって伸縮可能な状態で配置され、ホットメルト接着剤（図示せず）によってシャーシ１１に固定されている。脚周り開口３５の上側半周を画成しているシャーシ１１の脚周り上方縁部１５ｃ，１５ｄには、複数の脚周り用弾性部材２１が伸縮可能な状態で配置され、ホットメルト接着剤（図示せず）によってシャーシ１１に固定されている。
【００４１】
前後胴周り域１２，１４におけるシャーシ１１には、複数の胴周り用補助弾性部材３６が、幅方向Ｑに伸縮可能な状態で図６における前後方向Ｐに間隔をあけて配置されている。胴周り用補助弾性部材３６は、図４に示されているように、両側縁１５ａ，１５ｂの下端よりも上方に位置していることが好ましい。胴周り用補助弾性部材３６としては、使い捨ておむつに慣用されている公知の材料からなる糸ゴムなどを用いることができる。
【００４２】
シャーシ１１には、股下域１３の両側縁部１３ａ，１３ａに沿って図６における前後方向Ｐに延びる一対のバリヤカフ２２，２２が配置されている。バリヤカフ２２は、基部２２ａと先端部２２ｂと両端部２２ｃ，２２ｃとを有する。一対のバリヤカフ２２の基部２２ａは、吸収体１６の幅方向Ｑの両側でホットメルト接着剤（図示せず）によりシャーシ１１に固定されている。両端部２２ｃ，２２ｃは、先端部２２ｂが幅方向Ｑの内側へ倒された状態でホットメルト接着剤（図示せず）によりシャーシ１１に固定されている。バリヤカフ２２には、前後方向Ｐに伸縮可能なカフ用弾性部材２３が取り付けられている。カフ用弾性部材２３が収縮することにより、バリヤカフ２２は、シャーシ１１の内側に対してほぼ垂直に立ち上がって排泄物に対する障壁となる。
【００４３】
使い捨ておむつ１００では、バックシート１８が、前後胴周り域１２，１４の前後両端縁１２ａ，１４ａでシャーシ１１の内側へ折り返されている（図７を参照）。バックシート１８は、１枚あるいは複数枚の疎水性を有する熱可塑性合成繊維不織布から形成される。バックシート１８と吸収体１６との間には、液抵抗性の熱可塑性プラスチックフィルムからなる中間シート３８が介在している。中間シート３８は、吸収体１６とほぼ同じ大きさを有する。
【００４４】
固定部１９は、コア１６の幅方向Ｑの全幅にわたって設けられており、そこで第１ライナ１７ａと第２ライナ１７ｂとが接合している（図６および７を参照）。
【００４５】
吸収体１６は、第２ライナ１７ｂに形成されている通路２６と対向する位置に、くり抜かれた孔を含んでいる。吸収体１６の孔とその周辺を、カバーシート３７が覆っている（図７を参照）。カバーシート３７は、吸収体１６の孔の内側でバックシート１８と密着していることが好ましい。このような使い捨ておむつ１００は、通路２６の奥に広がる内部空間の奥行きが長く、比較的長い便であっても収容することができる。カバーシート３７としては、ティシューペーパ，不織布などの公知の親水性シートを用いることができる。カバーシート３７に代わって、第１ライナ１７ａが固定部１９より後方へ延びて吸収体１６を覆っていてもよい。
【００４６】
第２ライナ１７ｂは、前端縁で第１ライナ１７ａと接合し、後端縁でカバーシート３７と接合し、両側縁でカバーシート３７と接合している。第２ライナ１７ｂは、少なくとも前後端縁において第１ライナ１７ａあるいはカバーシート３７と接合されていればよく、両側縁においては必ずしもカバーシート３７と接合していなくてもよい。第２ライナ１７ｂの前端縁は固定部１９に位置している。第２ライナ１７ｂの後端縁は、吸収体１６の後端縁とシャーシ１１の後端縁１４ａとの間に位置しているが、シャーシ１１の後端縁１４ａと一致していてもよいし、吸収体１６の後端縁よりも前側に位置していてもよい。第２ライナ１７ｂの後端縁が吸収体１６の後端縁よりも前側に位置している場合には、尿などの体液が、親水性カバーシート３７の、第２ライナ１７ｂに覆われていない部分を通じて吸収体１６に吸収されるから、体液がより効率的に吸収される。第２ライナ１７ｂの両側縁は、一対のバリヤカフ２２の基部２２ａよりも幅方向Ｑの内側に位置している。第２ライナ１７ｂは、吸収体１６よりもやや小さい幅寸法を有し、カバーシート３７は、吸収体１６よりもやや大きい幅寸法を有する。つまり、第２ライナ１７ｂの幅寸法は、カバーシート３７のそれよりも小さい。このような使い捨ておむつ１００は、第２ライナ１７ｂが液抵抗性を有するシート材料から形成されていても、尿などの体液が、親水性カバーシート３７の、第２ライナ１７ｂに覆われていない部分を通じて吸収体１６に吸収され得る。
【００４７】
第１，第２および３弾性部材２７，２８，２９は、いずれも、シャーシ１１の、半剛性吸収体１６が介在している領域に位置している（図５を参照）。このような使い捨ておむつ１００では、シャーシ１１の前後胴周り域１２，１４における胴周り用補助弾性部材３６が着用者の動きに追従して伸縮を繰り返したとしても、半剛性の吸収体１６までもが縮むことはほとんどない。それゆえ、半剛性の吸収体１６が介在している領域に位置している第１，第２および３弾性部材２７，２８，２９がそれに追従して幅方向Ｑに伸縮するということはない。そのため、使い捨ておむつ１０の着用中、通路２６の幅方向Ｑにおける開口寸法Ｍｂはほぼ一定に保たれる。
【００４８】
図６に示されているように、一対の第２および第３弾性部材２８，２９は、通路２６の側に向かって凸となるように伸縮可能な状態で前後方向Ｐに延びている。このような形状の第２および第３弾性部材２８，２９を備えている使い捨ておむつ１００では、通路２６の開口周縁が第２および第３弾性部材２８，２９によって幅方向Ｑの外方へ引張られるため、着用中に通路２６の幅方向Ｑの開口幅が狭まることがなく、より確実に便を通路２６内に導くことができる。図６において、第２および第３弾性部材２８，２９は固定部１９まで延びているが、固定部１９を越えてさらに前後方向Ｐの前方にまで延びていてもよい。このように第２および第３弾性部材２８，２９が少なくとも固定部１９まで伸縮可能な状態で前後方向Ｐの前方へ延びていることにより、立ち上がる障壁３０の頂部３０ａが際立って着用者の会陰により当接し易くなる。その結果、万一、便が肌を伝って前方へ流れたとしても、障壁３０で便の流れを確実に堰き止めることができる。
【００４９】
第２および第３弾性部材２８，２９は、前後方向Ｐにほぼ並行な中間の直線部分２８ａ，２９ａと、直線部分２８ａ，２９ａの両端からシャーシ１１を幅方向に横断するように延びるトラバース部分２８ｂ，２９ｂとを含んでいる。直線部分２８ａ，２９ａは、幅方向Ｑにおいて通路２６の周縁から５〜３０ｍｍ離れて位置していることが好ましく、通路２６の前後方向Ｐの中心を通って幅方向Ｑに延びる線と交わるように位置していることが好ましい。直線部分２８ａ，２９ａの長さ寸法は、通路の前後方向Ｐの開口寸法Ｍａの５０〜１５０％であることが好ましい。
【００５０】
ライナ１７は、さらに、通路２６の幅方向の両側に配置された一対の第４および第５弾性部材３２，３３を備えている。第４および第５弾性部材３２，３３は、第２および第３弾性部材２８，２９よりも幅方向Ｑの外側にあって２枚のシートからなる第２ライナ１７ｂに挟まれて、伸縮可能な状態で前後方向Ｐにほぼ並行に延びている。使い捨ておむつ１０がこのような第４および第５弾性部材３２，３３を備えていることによって、ライナ１７がより持ち上げられ易くなるとともに、幅方向Ｑにおける通路２６の位置が安定する。第４および第５弾性部材３２，３３は、幅方向において通路２６の周縁から１０〜４０ｍｍ離れて、通路２６の前後方向Ｐの中心を通って幅方向Ｑに延びる線と交わるように位置していることが好ましい。第４および第５弾性部材３２，３３としては、第１，第２および３弾性部材２７，２８，２９と同様に、天然ゴム、合成ゴム、ウレタンフォームなど公知の材料からなる糸ゴムや平ゴムなどを用いることができる。
【００５１】
使い捨ておむつ１００は、前述のような胴周り用補助弾性部材３６を備えていることによって、着用者の胴周りに対するフィット性を向上させることができる。胴周り用補助弾性部材３６は、吸収体１６が介在しているシャーシ１１の幅方向Ｑの中央領域１ａではその弾性伸縮性を発現しないが、吸収体１６が介在していないシャーシ１１の両側域１ｂではその弾性伸縮性を発現するものであることがより好ましい。シャーシ１１の幅方向Ｑの中央領域１ａで胴周り用補助弾性部材３６の弾性伸縮性を発現させないようにする方法としては、例えば、中央領域１ａにおいて胴周り用補助弾性部材３６を切断する方法や中央領域１ａにおいてのみ胴周り用補助弾性部材３６を加熱処理して可塑化するという方法のほか、図１に示されているように、中央領域１ａには胴周り用補助弾性部材３６を配置しない方法などが挙げられる。また、中央領域１ａにおける使い捨ておむつ１００の剛性を両側域１ｂにおけるそれよりも高くするという方法によっても、中央領域１ａにおいて胴周り用補助弾性部材３６の弾性伸縮性を発現させないようにすることができる。このように、シャーシ１１の幅方向Ｑの中央領域１ａで胴周り用補助弾性部材３６の弾性伸縮性が発現しないようにすることで、通路２６の幅方向Ｑにおける開口寸法Ｍｂがほぼ一定に保たれる。それによって、着用者が排泄時にどのような姿勢をとっても、使い捨ておむつ１０の通路２６の開口が着用者の肛門にフィットするので、便の収容率が高まって、漏れの可能性が低減する。シャーシ１１における中央領域１ａと両側域１ｂとは、使い捨ておむつ１００における中央領域１ａと両側域１ｂと言い替えることも可能である。
【図面の簡単な説明】
【００５２】
【図１】この発明に係る使い捨てのパンツ型おむつの斜視図。
【図２】この発明に転用可能なオープン型おむつの部分破断斜視図。
【図３】図２のＩＩＩ−ＩＩＩ線断面図。
【図４】この発明に転用可能な使い捨てのパンツ型おむつの斜視図。
【図５】図４のパンツ型おむつの部分破断斜視図。
【図６】図４のパンツ型おむつを伸展し部分的に破断した状態で示す図。
【図７】図６のＶＩＩ−ＶＩＩ線断面図。
【符号の説明】
【００５３】
１        使い捨てのパンツ型おむつ
１ａ      中央領域
１ｂ      側域
１０      オープン型おむつ
１１      シャーシ
１１ｂ    最外層
１２      前胴周り域
１３      股下域
１３ａ    両側縁部
１４      後胴周り域
１６      吸収体
１７      ライナ
１７ａ    第１ライナ
１７ｂ    第２ライナ
１８      バックシート
１９      固定部
２０      胴周り弾性部材
２２      バリヤカフ
２６      通路
２６ａ    最前縁
２８      側方弾性部材（第２弾性部材）
２９      側方弾性部材（第３弾性部材）
３０      障壁
３４      胴周り開口
３６      胴周り補助弾性部材
１００    パンツ型おむつ
Ｐ        前後方向
Ｑ        幅方向
【図１】
2008006312.tif 000003
【図２】
2008006312.tif 000004
【図３】
2008006312.tif 000005
【図４】
2008006312.tif 000006
【図５】
2008006312.tif 000007
【図６】
2008006312.tif 000008
【図７】
2008006312.tif 000009